(57)【要約】【課題】基本形状がＣリング構造の部品を用い、従来に比して確実かつ安定して連結ピンの組み付けが行えるようにしたバンドを提供する。【解決手段】連結ピン２０の小径部２３を、一方の外駒部分３の貫通孔５から内駒部分２の貫通孔４を通して、他方の外駒部分３における小径の貫通孔６へ挿入する。小径の貫通孔６の開口部分で連結ピン２０の段部２３ａが係止され、連結ピン２０が所定位置にセットされる。連結ピン２０の前記セット状態で、内駒部分２の拡径部７にセットされている筒体１０の内突起１１と、連結ピン２０の凹溝２２とが係合する。この係合は筒体１０自体の弾性力を受けて維持される。【選択図】図１
0003149806.tif 000002
【実用新案登録請求の範囲】
【請求項１】
内駒部分と外駒部分とを、前記内駒部分を貫通し前記外駒部分に達する連結ピンにて連結する構成のバンドにおいて、
前記内駒部分に設けた貫通孔の一部に拡径部を形成し、
前記拡径部に、内側へ突出する内突起と外側へ突出する外突起とが形成された断面略Ｃ状の筒体を嵌め、前記外突起を前記拡径部内壁に圧接させ、
前記内駒部分の一側に配された外駒部分の貫通孔から、一部に段部が形成されかつ外周に凹溝が形成された前記連結ピンを、前記段部が前記内駒部分の他側に配された外駒部分の小径貫通孔部分に係止し、かつ前記筒体の前記凹溝と前記連結ピンの内突起とが係合するように挿入して構成してなることを特徴とするバンド。
【請求項２】
前記連結ピンを、半円弧状の板材を内側に折り曲げて形成したことを特徴とする請求項１記載のバンド。
【請求項３】
前記連結ピンを中実軸から形成したことを特徴とする請求項１記載のバンド。
【考案の詳細な説明】
【技術分野】
【０００１】  本考案は、時計バンドや装飾品用のバンドに適用され、複数の駒を連結して構成されるバンドに関するものである。
【背景技術】
【０００２】  時計バンドにおいては、複数の外駒と内駒を連結する構成のものについて、数多くの発明，考案がなされ、実施されている。【０００３】  その基本構成としては、外駒と内駒とに連結ピンを嵌挿して多数の駒を順に連結する構成のものである。【０００４】  前記連結ピンは、外駒と内駒とを連結すると共に、駒から外れないように固定されなければならない。このため、連結ピンをネジ構造にしたり、係合弾性部を有する構造にしたりする工夫がなされてきている。【０００５】  また、特許文献１，２に記載されているように、Ｃリングを用いて連結ピンを駒に固定するものが知られている。この構成により、連結ピンと駒との係合を行う作業が比較的容易になる。
【先行技術文献】
【特許文献】
【０００６】
【特許文献１】実用新案登録第３０４２６４７号公報
【特許文献２】実開昭６２−３３３１０号公報
【考案の概要】
【考案が解決しようとする課題】
【０００７】  特許文献１に記載のバンド駒構造では、駒と連結ピンにＣリングを打ち込むことで駒を連結するものである。この場合、駒がウレタン樹脂で成型されているため、樹脂自体の弾性にてＣリングの脱落は防止されと考えられるが、駒が金属製の場合にはＣリングの脱落が課題となる。【０００８】  特許文献２に記載のバンド駒構造では、内凹部を有するＣリングを駒の内部に設け、周囲に溝が形成された連結ピンを駒に挿入して、前記内凹部と溝とを係合させるものである。この場合、駒内部のＣリングと連結ピンの係合状態が安定しないという課題がある。【０００９】  そこで本考案は、基本的にＣリング構造を用い、従来に比して確実かつ安定して連結ピンの組み付けが行えるようにしたバンドを提供することを目的とする。
【課題を解決するための手段】
【００１０】  前記目的を達成するため、本考案は、内駒部分と外駒部分とを、前記内駒部分を貫通し前記外駒部分に達する連結ピンにて連結する構成のバンドにおいて、前記内駒部分に設けた貫通孔の一部に拡径部を形成し、前記拡径部に、内側へ突出する内突起と外側へ突出する外突起とが形成された断面略Ｃ状の筒体を嵌め、前記外突起を前記拡径部内壁に圧接させ、前記内駒部分の一側に配された外駒部分の貫通孔から、一部に段部が形成されかつ外周に凹溝が形成された前記連結ピンを、前記段部が前記内駒部分の他側に配された外駒部分の小径貫通孔部分に係止し、かつ前記筒体の前記凹溝と前記連結ピンの内突起とが係合するように挿入して構成してなるものである。【００１１】  このようなバンド構成にしたことにより、断面略Ｃ状の筒体が、外突起と駒内部の拡径部内壁との圧接係合によって確実に固定され、さらに連結ピンの段部が外駒部分の小径貫通孔部分に係止することによって確実に所定の位置にセットされ、よって、連結ピンの凹溝と筒体の内突起とが確実に係合させる。
これにより駒の連結が確実になり、しかも組立作業が容易になる。【００１２】  また、前記連結ピンを、半円弧状の板材を内側に折り曲げて形成するようにしてもよい。【００１３】  また、前記連結ピンを中実軸から形成してもよい。
【考案の効果】
【００１４】  本考案では、断面略Ｃ状の筒体が、外突起と駒内部の拡径部内壁との圧接係合により、確実に固定される。さらに連結ピンが、段部と外駒部分の小径貫通孔部分との係止により、確実に所定の位置にセットされる。これにより連結ピンの凹溝と筒体の内突起とが確実に係合することになる。【００１５】  このため、簡易な組み付け作業であって、しかも、駒と連結ピンと断面略Ｃ状の筒体が確実に連結・固定されるため、耐久性に優れたバンドとなる。
【図面の簡単な説明】
【００１６】
【図１】本考案の実施形態を説明するためのバンドの一部断面図である。
【図２】本実施形態の要部の分解斜視図である。
【図３】本実施形態の筒体の平面図である。
【図４】本実施形態の筒体の斜視図である。
【図５】本実施形態の連結ピンの平面図である。
【図６】本実施形態の連結ピンの斜視図である。
【図７】本実施形態の連結ピンの変形例を示す平面図である。
【図８】本実施形態の連結ピンの変形例を示す平面図である。
【考案を実施するための形態】
【００１７】  以下に本考案の好適な実施形態を図面にて説明する。
【００１８】  図１は本考案の実施形態を説明するための時計バンドの一部断面図、図２は本バンドの要部の分解斜視図、図３は本バンドに使用される筒体の平面図、図４は図３の筒体の斜視図、図５は本バンドに使用される連結ピンの平面図、図６は図５の連結ピンの斜視図である。
【００１９】  １は複数個が連結される駒体であって、各駒体１は、一側中央が凸状部１ａをなし、他側が凹状部１ｂであって、凸状部１ａが内駒部分２となり、凹状部１ｂの両側が外駒部分３となる。内駒部分２と外駒部分３には貫通孔４，５，６がそれぞれ形成されている。
内駒部分２の貫通孔４と一方の外駒部分３の貫通孔５とは同じ内径であり、他方の外駒部分３の貫通孔６は内駒部分２の貫通孔４より小径になっている。この小径の貫通孔６側における内駒部分２の貫通孔４に拡径部７が形成されている。
【００２０】  １０は断面略Ｃ状の筒体であって、筒体１０は内駒部分２の拡径部７に嵌着される。筒体１０周壁には、内側へ突出する内突起１１と、この内突起１１の両側で外側へ突出する外突起１２とが形成されている。さらに、筒体１０の軸線方向にはスリット１３が形成されている。
【００２１】  ２０は連結ピンであって、本例では、図５に示すように、１本の半円弧状の板材を内側に折り曲げて（曲げ部は２０ａ部分）、上側２１ａと下側２１ｂとを接合するようにしてピン形状にしている。
連結ピン２０の外周には凹溝２２が形成され、かつ曲げ部２０ａの反対側の端部を小径部２３が形成され、この部分に段部２３ａが形成されている。
【００２２】  なお、連結ピン２５としては、図７，図８に示すように、中実軸を用いて挽き加工により、図５，図６に示す連結ピン２０と同様に凹溝２６と小径部２７とを形成するようにしてもよい。図７，図８に示す連結ピン２５は軸方向に略左右対称形状になっている。
【００２３】  次に、本実施形態の各部材の組立について説明する。
【００２４】  先ず、筒体１０を、スリット１３の存在により内方に撓めながら、駒体１の内駒部分２における貫通孔４に挿入して拡径部７に嵌める。拡径部７において、筒体１０が自体の弾性により外方に広がり、筒体１０の外突起１２が拡径部７の内壁に圧接する。これにより筒体１０は内駒部分２の貫通孔４に確実にセットされ、位置決めされる。
【００２５】  その後、前記駒体１の内駒部分２を他の駒体１の外駒部分３に入れ、内駒部分２と外駒部分３と貫通孔４，５，６を合わせる。そして、連結ピン２０を、該連結ピン２０の小径部２３を先にして貫通孔４，５，６へ挿入する。
【００２６】  連結ピン２０の小径部２３が、一方の外駒部分３の貫通孔５から内駒部分２の貫通孔４を通って、他方の外駒部分３における小径の貫通孔６に達すると、この小径の貫通孔６の開口部分で連結ピン２０の段部２３ａが係止される。この状態で連結ピン２０が所定位置にセットされる。
【００２６】  連結ピン２０が前記のようにセットされた状態で、内駒部分２の拡径部７にセットされている筒体１０の内突起１１と、連結ピン２０の凹溝２２とが係合する。この係合は、筒体１０自体の弾性力を受けて維持される。
【００２７】  セットされた連結ピン２０を駒体１から外すには、他方の外駒部分３における小径の貫通孔６側から細い治具などで駒内部の連結ピン２０を内方へ押す（図１，図２に示す矢印方向）。この押圧により、筒体１０の内突起１１と連結ピン２０の凹溝２２との係合が解除される。
【００２８】  前記係合が解除された後は、さらに連結ピン２０を軽い力で押すことによって、容易に連結ピン２０を移動させることができて、一方の外駒部分３の貫通孔５から外部へ連結ピン２０を取り出すことができる。
【産業上の利用可能性】
【００２９】  本考案は、駒体の材質に関係なく、時計バンドなどの各種バンド類に適用することができる。
【符号の説明】
【００３０】１  駒体
２  内駒部分
３  外駒部分
４  内駒部分の貫通孔
５  外駒部分の貫通孔
６  外駒部分の小径の貫通孔
７  内駒部分の貫通孔の拡径部
１０  断面略Ｃ状の筒体
１１  内突起
１２  外突起
１３  スリット
２０，２５  連結ピン
２２，２６  凹溝
２３，２７  小径部
２３ａ  段部
【図１】
0003149806.tif 000003
【図２】
0003149806.tif 000004
【図３】
0003149806.tif 000005
【図４】
0003149806.tif 000006
【図５】
0003149806.tif 000007
【図６】
0003149806.tif 000008
【図７】
0003149806.tif 000009
【図８】
0003149806.tif 000010